(57)【特許請求の範囲】
【請求項１】
複数のプログラムが複数のグループに集合化されて管理されて記録される記録媒体であって、
記録可能領域に形成された上記複数のプログラムが記録されるプログラム記録領域と上記プログラム記録領域を管理する管理情報が記録される管理領域を有し、
上記管理領域は、
上記プログラム記録領域の未記録記録領域と記録済領域を管理する管理情報が記録される管理情報記録領域と、
上記プログラム領域に記録された各々のプログラムに対応するプログラム名を管理する第１の管理情報が記録される第１の管理情報記録領域と、
上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を分離するための分離情報とからなり第２の管理情報が記録される第２の管理情報記録領域と
を備えることを特徴とする記録媒体。
【請求項２】
上記第２の管理情報記録領域に記録される第２の管理情報は、上記プログラム番号と上記グループ名と上記分離情報とからなるグループ情報を複数備え、上記各々のグループ情報は区切り情報によって区切られることを特徴とする請求項１記載の記録媒体。
【請求項３】
上記第２の管理情報記録領域には、上記記録媒体を識別するための記録媒体名が更に記録されることを特徴とする請求項１記載の記録媒体。
【請求項４】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループに対して順序を変更指示する操作手段と、
上記操作手段にて上記複数のグループ内の所定グループに対して順序の変更指示が行われた場合には、上記第２の管理情報中の上記グループを構成するプログラム番号の範囲情報と上記グループ名との対応関係を編集することで上記所定グループの一括移動を行う編集手段と
を備えることを特徴とする編集装置。
【請求項５】
上記第１の管理情報は各々のプログラムに対してプログラム番号に対応してプログラム名が管理されており、上記操作手段にて上記複数のグループ内の所定グループに対して順序の変更指示が行われた場合には上記第１の管理情報中のプログラム番号とプログラム名との対応関係を併せて編集することを特徴とする請求項４記載の編集装置。
【請求項６】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループを構成する所定プログラムに対して分割指示をする操作手段と、
上記操作手段にて上記複数のグループ内の所定グループを構成する所定プログラムに対して分割指示がなされた場合に、上記第２の管理情報中の上記グループを構成するプログラム番号の範囲情報と上記グループ名との対応関係を編集する編集手段と
を備えることを特徴とする編集装置。
【請求項７】
上記第１の管理情報は各々のプログラムに対してプログラム番号に対応してプログラム名が管理されており、上記操作手段にて上記複数のグループ内の所定グループを構成する所定プログラムに対して分割指示がなされた場合には、プログラム番号とプログラム名との対応関係を併せて編集することを特徴とする請求項６記載の編集装置。
【請求項８】
上記編集手段は、上記分割が指定された所定のプログラムが含まれる所定グループに続くグループを構成するプログラム番号の範囲を更に編集することを特徴とする請求項６記載の編集装置。
【請求項９】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループを構成する２つのプログラム同士の結合処理の指示をする操作手段と、
上記操作手段にて上記複数のグループ内の所定グループを構成する２つのプログラム同士の結合処理がなされた場合に、上記第２の管理情報中の上記グループを構成するプログラム番号の範囲情報と上記グループ名との対応関係を編集する編集手段と
を備えることを特徴とする編集装置。
【請求項１０】
上記第１の管理情報は各々のプログラムに対してプログラム番号に対応してプログラム名が管理されており、上記操作手段にて上記複数のグループ内の所定グループを構成する２つのプログラム同士の結合処理がなされた場合には、プログラム番号とプログラム名との対応関係を併せて編集することを特徴とする請求項９記載の編集装置。
【請求項１１】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループを２分割指示する操作手段と、
上記操作手段にて上記所定グループを２分割指示された場合には、上記第２の管理情報中の上記グループを構成するプログラム番号の範囲情報と上記グループ名との対応関係を編集する編集手段と
を備えることを特徴とする編集装置。
【請求項１２】
上記操作手段にて上記所定グループを２分割指示された場合には、上記所定グループに付与されていたグループ名を上記２分割された一方のグループに付与することを特徴とする請求項１１記載の編集装置。
【請求項１３】
上記操作手段にて上記所定グループを２分割指示された場合には、上記所定グループに付与されていたグループ名を上記２分割された一方のグループに付与し、他方のグループのグループ名が空白となることを特徴とする請求項１２記載の編集装置。
【請求項１４】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループ同士を結合指示する操作手段と、
上記操作手段にて上記所定グループ同士を結合指示された場合には、上記第２の管理情報中の上記グループを構成するプログラム番号の範囲情報と上記グループ名との対応関係を編集する編集手段と
を備えることを特徴とする編集装置。
【請求項１５】
上記操作手段にて上記所定グループ同士が結合指示された場合には、上記前方に位置する所定グループに付与されていたグループ名を上記結合されたグループに新たに付与することを特徴とする請求項１４記載の編集装置。
【請求項１６】
上記操作手段にて上記所定グループ同士が結合指示された場合には、上記後方に位置する所定グループに付与されていたグループ名を上記結合されたグループに新たに付与することを特徴とする請求項１４記載の編集装置。
【請求項１７】
上記操作手段にて上記所定グループ同士が結合指示された場合には、上記前方に位置する所定グループに付与されていたグループ名と後方に位置する所定グループに付与されているグループ名を結合処理して上記結合されたグループに新たに付与することを特徴とする請求項１４記載の編集装置。
【請求項１８】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、
上記複数のグループ内の所定グループに対して一括消去指示をする操作手段と、
上記操作手段にて上記複数のグループ内の所定グループに対して一括消去指示がなされた場合には、上記第２の管理情報中の上記グループを構成するプログラム番号の範囲情報と上記グループ名との対応関係を編集する編集手段と
を備えることを特徴とする編集装置。
【請求項１９】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループに対して順序を変更指示する操作ステップと、
上記操作ステップにて上記複数のグループ内の所定グループに対して順序の変更指示が行われた場合には、上記第２の管理情報中の上記グループを構成するプログラム番号の範囲情報と上記グループ名との対応関係を編集することで上記所定グループの一括移動を行う編集ステップと
を有することを特徴とする編集方法。
【請求項２０】
上記第１の管理情報は各々のプログラムに対してプログラム番号に対応してプログラム名が管理されており、上記操作ステップにて上記複数のグループ内の所定グループに対して順序の変更指示が行われた場合には上記第１の管理情報中のプログラム番号とプログラム名との対応関係を併せて編集することを特徴とする請求項１９記載の編集方法。
【請求項２１】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループを構成する所定プログラムに対して分割指示をする操作ステップと、
上記操作ステップにて上記複数のグループ内の所定グループを構成する所定プログラムに対して分割指示がなされた場合には、上記第２の管理情報中の上記グループを構成するプログラム番号の範囲情報と上記グループ名との対応関係を編集する編集ステップと
を有することを特徴とする編集方法。
【請求項２２】
上記第１の管理情報は各々のプログラムに対してプログラム番号に対応してプログラム名が管理されており、上記操作ステップにて上記複数のグループ内の所定グループを構成する所定プログラムに対して分割指示がなされた場合には、プログラム番号とプログラム名との対応関係を併せて編集することを特徴とする請求項２１記載の編集方法。
【請求項２３】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループを構成する２つのプログラム同士の結合処理を指示をする操作ステップと、
上記操作ステップにて上記複数のグループ内の所定グループを構成する２つのプログラム同士の結合処理がなされた場合には、上記第２の管理情報中の上記グループを構成するプログラム番号の範囲情報と上記グループ名との対応関係を編集する編集ステップと
を有することを特徴とする編集方法。
【請求項２４】
上記第１の管理情報は各々のプログラムに対してプログラム番号に対応してプログラム名が管理されており、上記操作ステップにて上記複数のグループ内の所定グループを構成する２つのプログラム同士の結合処理がなされた場合には、プログラム番号とプログラム名との対応関係を併せて編集することを特徴とする請求項２３記載の編集方法。
【請求項２５】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループを２分割指示する操作ステップと、
上記操作ステップにて上記所定グループを２分割指示された場合には、上記第２の管理情報中の上記グループを構成するプログラム番号の範囲情報と上記グループ名との対応関係を編集する編集ステップと
を有することを特徴とする編集方法。
【請求項２６】
上記操作ステップにて上記所定グループを２分割指示された場合には、上記所定グループに付与されていたグループ名を上記２分割された一方のグループに付与することを特徴とする請求項２５記載の編集方法。
【請求項２７】
上記操作ステップにて上記所定グループを２分割指示された場合には、上記所定グループに付与されていたグループ名を上記２分割された一方のグループに付与し、他方のグループの名称は空白にすることを特徴とする請求項２５記載の編集方法。
【請求項２８】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループ同士を結合指示する操作ステップと、
上記操作ステップにて上記所定グループ同士を結合指示された場合には、上記第２の管理情報中の上記グループを構成するプログラム番号の範囲情報と上記グループ名との対応関係を編集する編集ステップと
を有することを特徴とする編集方法。
【請求項２９】
上記操作ステップにて上記所定グループ同士が結合指示された場合には、上記前方に位置する所定グループに付与されていたグループ名を上記結合されたグループに新たに付与することを特徴とする請求項２８記載の編集方法。
【請求項３０】
上記操作ステップにて上記所定グループ同士が結合指示された場合には、上記後方に位置する所定グループに付与されていたグループ名を上記結合されたグループに新たに付与することを特徴とする請求項２８記載の編集方法。
【請求項３１】
上記操作ステップにて上記所定グループ同士が結合指示された場合には、上記前方に位置する所定グループに付与されていたグループ名と後方に位置する所定グループに付与されているグループ名を結合処理して上記結合されたグループに新たに付与することを特徴とする請求項２８記載の編集方法。
【請求項３２】
記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、
上記複数のグループ内の所定グループに対して一括消去指示をする操作ステップと、
上記操作ステップにて上記複数のグループ内の所定グループに対して一括消去指示がなされた場合には、上記第２の管理情報中の上記グループを構成するプログラム番号の範囲情報と上記グループ名との対応関係を編集する編集ステップと
を有することを特徴とする編集方法。
【発明の詳細な説明】
【０００１】
【発明の属する技術分野】
本発明は、複数のプログラムが複数のグループに集合化されて管理されて記録される記録媒体と、上記記録媒体に記録された所定のプログラム又はグループに対して分割／結合／消去等の編集を行う編集装置と編集方法に関する。
【０００２】
【従来の技術】
光ディスクは、磁気ディスクに比べて記録容量を２〜３桁程度大きくでき、テープ状記録媒体に比べて高速アクセスが可能である。また、媒体に対して非接触でデータの記録／再生が行え耐久性に優れる等の利点を有していることから、近年において多く用いられるようになってきている。
【０００３】
この光ディスクとしては、ピットとしてデータを記録した再生専用領域を有する標準的なＣＤ(Compact Disc)フォーマットとしてＣＤ−ＤＡ(Digital Audio)フォーマットに従った再生専用の光ディスク、データの記録再生可能な例えば光磁気記録媒体により形成された記録再生領域を有する上記ＣＤ−ＤＡフォーマットの拡張フォーマットとしてのＣＤ−ＭＯ(Magnetto Optic)フォーマットに従った光磁気ディスクや、ピットとしてデータを記録した再生専用領域とデータの記録再生可能な記録再生領域の両方を有するハイブリッドディスクなどが知られている。
【０００４】
従来、光磁気ディスクやハイブリッドディスクなどのディスク状記録媒体にデータを記録するディスク記録再生装置では、記録中に記録データが無用なデータになった場合、手動操作により記録を停止するようになっていた。例えば、コンパクトディスクから光磁気ディスクへ曲を録音する場合、ＣＤプレーヤの再生が終了後、手動操作により光磁気ディスクレコーダによる録音を停止していた。
【０００５】
ここで、光ディスクや磁気ディスクなどのディスク状記録媒体では、メインデータを記録するメインデータ記録領域と管理データを記録する管理データ領域を設け、上記管理データ領域に記録した管理データにより、上記メインデータ記録領域について記録済領域と記録可能領域を管理するようにしている。例えば、上記ＣＤフォーマットに従った光ディスクでは、演奏データなどのプログラムデータが記録されたデータ領域と、その内周側に設けられたリードイン領域とを有し、上記データ領域の記録位置や記録内容を示す目録(TOC：Table of Contents)データとして、全てのプログラムデータについて順番に記録開始アドレス情報と記録終了アドレス情報が上記リードイン領域に記録されている。
【０００６】
また、本件出願人は、直径６４ｍｍの光ディスクをカートリッジに収納してなるミニディスク(MD:Mini Disc（商標）)を用いて、音楽信号などをディジタル的に記録再生するＭＤシステムを先に提案している。このミニディスクには、再生専用光ディスク、記録可能な光磁気ディスク、再生専用領域と記録可能領域が混在するハイブリッドディスクの３種類のものがある。そして、メインデータの記録再生可能なＭＤシステムでは、ミニディスクの記録可能領域内にプログラム領域とＵＴＯＣ(Use TOC)領域を設けて、上記プログラム領域について、その記録位置や記録内容を示す目録（ＵＴＯＣ）データを上記ＵＴＯＣ領域に記録するようになっている。
すなわち、ミニディスクシステムの場合は、ディスク上でユーザーが録音を行った領域としてデータ記録済領域や、まだ何も録音されていない領域としてデータ記録可能な未記録領域を管理するために、音楽等の主データとは別に、ＵＴＯＣという管理情報が記録されている。そして記録装置はこのＵＴＯＣを参照しながら録音を行う領域を判別し、また再生装置はＵＴＯＣを参照して再生すべき領域を判別している。
【０００７】
つまり、ＵＴＯＣには録音された各楽曲としてのプログラム等がトラックというデータ単位で管理され、そのスタートアドレス、エンドアドレス等が記される。また何も録音されていないフリーエリアについては今後のデータ記録に用いることのできる領域として、そのスタートアドレス、エンドアドレス等が記される。
【０００８】
また、このようなミニディスクシステムでは、編集機能の１部としてディスクタイトル等を示すことのできるディスクネーム、及びトラックとしてのプログラム単位で記録されるプログラム等のタイトルを示すことのできるトラックネームを、ユーザが所定の操作方法に従って入力して登録することが可能とされている。ミニディスクシステムでは、このようなディスクネーム及びトラックネームとして登録された文字情報もＵＴＯＣ上の所定領域において格納するようにしており、例えば再生時等に際して、必要に応じてＵＴＯＣに格納されたディスクネーム及び所望のトラックのトラックネームを参照して表示出力させることができるようになっている。なお、以下ディスクネーム及びトラックネームの両者を一括した場合は、これを単に「ネーム」ということもある。
【０００９】
ユーザはこのような機能を活用して、ディスクやトラックについてネームを登録しておくことで、例えば以降は、再生装置に装填されたディスク名やトラックごとの曲目などを表示部に表示させて確認することができる。
【００１０】
【発明が解決しようとする課題】
ところで、ミニディスクシステムでは、ＡＴＲＡＣ((Acoustic transferred adapted coding)方式) を採用したデータ圧縮により最大８０分（モノラルで１６０分）の録音ができたが、ＡＴＲＡＣ３の圧縮方式を使うことでＬＰ４(Long Play)モードで最大３２０分の録音ができるようになった。
従来のミニディスクシステムでは、録音されている管理方法としてはディスク全体の管理と曲の管理という概念しかないので、ＡＴＲＡＣ３で３枚のＣＤのアルバムを録音した場合にアルバム毎の管理を行うことはできなかった。
そこで、本発明の目的は、上述の如き従来の実状に鑑み、記録されている曲を複数のグループとして管理することができるようにした記録媒体、編集装置及び編集方法を提供することにある。
【００１１】
【課題を解決するための手段】
本発明は、複数のプログラムが複数のグループに集合化されて管理されて記録される記録媒体であって、記録可能領域に形成された上記複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を分離するための分離情報とからなり第２の管理情報が記録される第２の管理情報記録領域とを備えることを特徴とする。
【００１２】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループに対して順序を変更指示する操作手段と、上記操作手段にて上記複数のグループ内の所定グループに対して順序の変更指示が行われた場合には、上記第２の管理情報中の上記グループを構成するプログラム番号の範囲情報と上記グループ名との対応関係を編集することで上記所定グループの一括移動を行う編集手段とを備えることを特徴とする。
【００１３】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループを構成する所定プログラムに対して分割指示をする操作手段と、上記操作手段にて上記複数のグループ内の所定グループを構成する所定プログラムに対して分割指示がなされた場合に、上記第２の管理情報中の上記グループを構成するプログラム番号の範囲情報と上記グループ名との対応関係を編集する編集手段とを備えることを特徴とする。
【００１４】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループを構成する２つのプログラム同士の結合処理の指示をする操作手段と、上記操作手段にて上記複数のグループ内の所定グループを構成する２つのプログラム同士の結合処理がなされた場合に、上記第２の管理情報中の上記グループを構成するプログラム番号の範囲情報と上記グループ名との対応関係を編集する編集手段とを備えることを特徴とする。
【００１５】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループを２分割指示する操作手段と、上記操作手段にて上記所定グループを２分割指示された場合には、上記第２の管理情報中の上記グループを構成するプログラム番号の範囲情報と上記グループ名との対応関係を編集する編集手段とを備えることを特徴とする。
【００１６】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループ同士を結合指示する操作手段と、上記操作手段にて上記所定グループ同士を結合指示された場合には、上記第２の管理情報中の上記グループを構成するプログラム番号の範囲情報と上記グループ名との対応関係を編集する編集手段とを備えることを特徴とする。
【００１７】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集装置であって、上記複数のグループ内の所定グループに対して一括消去指示をする操作手段と、上記操作手段にて上記複数のグループ内の所定グループに対して一括消去指示がなされた場合には、上記第２の管理情報中の上記グループを構成するプログラム番号の範囲情報と上記グループ名との対応関係を編集する編集手段とを備えることを特徴とする。
【００１８】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループに対して順序を変更指示する操作ステップと、上記操作ステップにて上記複数のグループ内の所定グループに対して順序の変更指示が行われた場合には、上記第２の管理情報中の上記グループを構成するプログラム番号の範囲情報と上記グループ名との対応関係を編集することで上記所定グループの一括移動を行う編集ステップとを有することを特徴とする。
【００１９】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループを構成する所定プログラムに対して分割指示をする操作ステップと、上記操作ステップにて上記複数のグループ内の所定グループを構成する所定プログラムに対して分割指示がなされた場合には、上記第２の管理情報中の上記グループを構成するプログラム番号の範囲情報と上記グループ名との対応関係を編集する編集ステップとを有することを特徴とする。
【００２０】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループを構成する２つのプログラム同士の結合処理を指示する操作ステップと、上記操作ステップにて上記複数のグループ内の所定グループを構成する２つのプログラム同士の結合処理がなされた場合には、上記第２の管理情報中の上記グループを構成するプログラム番号の範囲情報と上記グループ名との対応関係を編集する編集ステップとを有することを特徴とする。
【００２１】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループを２分割指示する操作ステップと、上記操作ステップにて上記所定グループを２分割指示された場合には、上記第２の管理情報中の上記グループを構成するプログラム番号の範囲情報と上記グループ名との対応関係を編集する編集ステップとを有することを特徴とする。
【００２２】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループ同士を結合指示する操作ステップと、上記操作ステップにて上記所定グループ同士を結合指示された場合には、上記第２の管理情報中の上記グループを構成するプログラム番号の範囲情報と上記グループ名との対応関係を編集する編集ステップとを有することを特徴とする。
【００２３】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集する編集方法であって、上記複数のグループ内の所定グループに対して一括消去指示をする操作ステップと、上記操作ステップにて上記複数のグループ内の所定グループに対して一括消去指示がなされた場合には、上記第２の管理情報中の上記グループを構成するプログラム番号の範囲情報と上記グループ名との対応関係を編集する編集ステップとを有することを特徴とする。
【００２４】
【発明の実施の形態】
以下、本発明の実施の形態について図面を参照して詳細に説明する。
【００２５】
本発明は、例えば図１のブロック図に示すような構成のＭＤレコーダ１に適用される。
【００２６】
ＭＤレコーダ１は光磁気ディスク(MD:Mini Disc)９０に対して音声データの記録及び再生動作が可能とされる。
【００２７】
光磁気ディスク９０はカートリッジ内に収納されて、カートリッジに設けられているシャッター機構を記録時又は再生時に開閉することで光学ピックアップである光学ヘッド３からの光を照射したり、磁気ヘッドからの磁界を印加することができるように構成されている。
【００２８】
光磁気ディスク９０はスピンドルモータ２によって線速度一定(CLV:constant liner velocity)に回転制御される。
【００２９】
また、本実施の形態においては、当該ＭＤレコーダ１における光磁気ディスク９０の装填部位に対して、光磁気ディスク９０の脱着状態を検出するためのディスク検出部３０が設けられる。ここでは、ディスク検出部３０としては、光磁気ディスク９０の装填の有無を検出可能な構成を採ればよいものとされる。
【００３０】
このディスク検出部３０の具体的構成としてはここでは特に限定されるものではなく、例えば、光磁気ディスク９０が装填されている状態時に、例えば光磁気ディスク９０のカートリッジにより押圧又は開放されるメカスイッチとされてもよいし、光磁気ディスク９０の有無を検出可能に設けられるフォトインタラプタなども考えられる。
【００３１】
さらには、次に述べる光学ヘッド３から出射させるレーザ光の反射により得られる信号に基づいてディスクの装填の有無を検出するように構成することも考えられる。
【００３２】
光学ヘッド３は、磁気ヘッド６ａに対して、装填された光磁気ディスク９０を挟んで対向する位置に設けられている。この光学ヘッド３は対物レンズ３ａと２軸機構４と、図示しない半導体レーザ及び半導体レーザの出射光が上記光磁気ディスクの表面で反射して、その反射光を受光する受光部を有して構成されている。
【００３３】
２軸機構４は、対物レンズ３ａを光磁気ディスク９０に接離する方向に駆動するフォーカス用コイルと、対物レンズ３ａを光磁気ディスクの半径方向に駆動するトラッキング用コイルとを有している。
【００３４】
また、光学ヘッド３全体を光磁気ディスク９０の半径方向に大きく移動させるスレッド機構５を更に備えている。
【００３５】
光学ヘッド３内の受光部にて検知した反射光情報は、ＲＦアンプ７に供給され、電流／電圧変換された後、マトリクス演算処理が行われ、フォーカスエラー信号ＦＥ、トラッキングエラー信号ＴＥが生成されるとともにＲＦ信号も生成される。
【００３６】
再生信号であるＲＦ信号は、光磁気ディスク９０上に記録時より低いレーザパワーで光を照射した際に、反射光の磁気Kerr効果を利用して磁界ベクトルを検知して、検知した磁界ベクトルに基づいて生成されることになる。
【００３７】
ＲＦアンプ７で生成されたフォーカスエラー信号ＦＥ、トラッキングエラー信号ＴＥはサーボ回路９にて位相補償、利得調整等をされたのちにドライブアンプ（図示せず）を介して２軸機構４のフォーカス用コイルと、トラッキング用コイルとに印加される。
【００３８】
さらにトラッキングエラー信号ＴＥからは、サーボ回路９内にてローパスフィルタ(LPF) を介してスレッドエラー信号が生成され、スレッドドライブアンプ（図示せず）を介してスレッド機構５に印加される。
【００３９】
更にＲＦアンプ７にて生成されたＲＦ信号は、ＥＦＭ／ＣＩＲＣエンコーダ・デコーダ８にて、２値化されてＥＦＭ復調(eight to fourteen modulation ) されるとともに、ＣＩＲＣ(cross interleave read solomon coding)エラー訂正処理が行われて、メモリコントローラー１２に供給される。
【００４０】
光磁気ディスク９０には予めグルーブが所定周波数にて蛇行して設けられており、ＦＭ変調にてアドレスデータが記録されている。本例の場合のグルーブの蛇行する所定周波数は２２．０５ＫＨｚである。
【００４１】
このアドレスデータはアドレスデコーダ１０にて所定周波数のみを通過するバンドパスフィルタ(BPF) を介してＦＭ復調することで抽出される。
【００４２】
ＥＦＭ／ＣＩＲＣエンコーダ・デコーダ８では２値化したＥＦＭ信号若しくはアドレスデコーダ１０にて抽出されたアドレスデコーダに基づいてディスクを回転制御するためのスピンドルエラー信号を生成してサーボ回路９を介してスピンドルモーター２に印加する。
【００４３】
更にＥＦＭ／ＣＩＲＣエンコーダ・デコーダ８では２値化したＥＦＭ信号に基づいてフェーズロックドループ(PLL) の引込み動作を制御し、デコード処理のための再生クロックを生成させる。
【００４４】
メモリコントローラ１２によって、エラー訂正後の２値化データはバッファメモリ１３に書き込まれる。
【００４５】
メモリコントローラ１２は、バッファメモリ１３に所定量以上のデータが蓄積されたら、バッファメモリ１３から書き込みの転送レートより十分遅い転送レートにて読み出しを行い、オーディオデータとしての出力に供する。
【００４６】
このようにバッファメモリ１３に一旦データを蓄えてからオーディオデータとして出力するようにているため、例えば振動等の外乱に対して不要なトラックジャンプ等が生じて光学ヘッド３からの連続したデータ読み出しが途絶えたとしても、光学ヘッド３のトラックジャンプが発生したアドレスへの再配置に要する時間に相当するデータは予めバッファメモリ１３に蓄積されているので、オーディオ出力の音声としては連続した音のとぎれのない出力が実現できる。
【００４７】
本例の場合、バッファメモリ１３として４ＭｂｙｔｅのＲＡＭを用いた場合には、バッファメモリ１３にデータが満杯の状態で約１０秒のオーディオデータを蓄えることが可能とされる。
【００４８】
なお、メモリコントローラ１２の動作はシステムコントローラ１１によって制御されている。
【００４９】
光磁気ディスク９０から読み出されたデータは記録時に所定の圧縮方法、本例では例えばＡＴＲＡＣ(Acoustic transferred adapted coding) 方式にて圧縮が施されており、メモリコントローラ１２によってバッファメモリ１３から読み出されたデータは、オーディオ圧縮エンコーダ・伸張デコーダ１４にて圧縮が解かれたデジタルデータとされ、Ｄ／Ａ変換器１５に印加される。
【００５０】
Ｄ／Ａ変換器１６ではオーディオ圧縮エンコーダ・伸張デコーダ１４にて圧縮が解かれたデジタルデータをアナログオーディオ信号に変換する。このアナログオーディオ信号は出力端子１６から図示しない増幅器及びスピーカ、ヘッドホン等の再生出力系に供給され、再生オーディオとして出力される。
【００５１】
このような再生動作時においては、システムコントローラ１１は、操作部１９の操作に応じて各種サーボ用のコマンドをサーボ回路９に転送したり、メモリコントローラ１２に対してバッファメモリ１３の制御の指令を与えたり、演奏経過時間や再生しているプログラムのタイトル等の文字情報の表示を表示部２０に実行させるように制御を行ったり、ＥＦＭ／ＣＩＲＣエンコーダ・デコーダ８でのスピンドルサーボ制御やデコード処理制御を行う。
【００５２】
また操作部１９とともにユーザーが各種操作を行うためにリモートコマンダー２９が用意され、例えば赤外線変調信号としてユーザーの操作に応じたコマンドを出力する。そのコマンドすなわち操作情報は赤外線受光部２３によって電気信号に変換され、システムコントローラ１１に供給される。システムコントローラ１１は赤外線受光部２３からの操作情報にも対応して必要な制御処理を行う。
【００５３】
このＭＤレコーダ１において楽曲等のオーディオデータをディスク９０に記録する場合、そのオーディオ信号は入力端子１７に供給される。
【００５４】
例えばＣＤプレーヤ等の再生装置のアナログ出力端子から出力されたアナログオーディオ信号は入力端子１７に入力されてＡ／Ｄ変換器１８にてデジタル信号に変換され、オーディオ圧縮エンコーダ・伸張デコーダ１４に供給される。
【００５５】
オーディオ圧縮エンコーダ・伸張デコーダ１４に入力されたデジタルオーディオ信号はＡＴＲＡＣ(Acoustic transferred adapted coding) ３方式にて圧縮エンコードが施され、圧縮されたデジタルオーディオ信号はメモリコントローラ１２を介してバッファメモリ１３に一旦蓄積される。
【００５６】
メモリコントローラ１２はバッファメモリ１３に蓄積された圧縮されたデータが所定量蓄積されたことを検知してバッファメモリ１３からの読み出しを許可する。
【００５７】
バッファメモリ１３から読み出された圧縮データはＥＦＭ／ＣＩＲＣエンコーダ・デコーダ８にてＣＩＲＣ方式のエラー訂正符号付加、ＥＦＭ変調等の処理が施されて磁気ヘッド駆動回路６に供給される。
【００５８】
磁気ヘッド駆動回路６は供給されたデータに応じて磁気ヘッド６ａのＮ極又はＳ極の磁界印加駆動を行う。
【００５９】
またこのような磁界印加を行う記録時には、システムコントローラ１１は光学ヘッド３の図示しない半導体レーザの出射パワーを再生時のときよりも高パワーに制御して光磁気ディスクの表面をキューリー温度まで加熱するようにする。これにより磁気ヘッド６ａから印加された磁界情報がディスク記録面に固定されていくことになる。つまりデータが磁界情報として記録される。
【００６０】
記録時にもシステムコントローラ１１は、各種サーボ用のコマンドをサーボ回路９に転送したり、メモリコントローラ１２に対してバッファメモリ１３の制御の指令を与えたり、記録経過時間や記録しているプログラムのトラックナンバ等の表示を表示部２０に実行させるように制御を行ったり、ＥＦＭ／ＣＩＲＣエンコーダ・デコーダ８でのスピンドルサーボ制御やエンコード処理制御を行う。
【００６１】
このＭＤレコーダ１では、オーディオデータの他に、そのオーディオデータとしての各プログラムとして例えば１曲やトラックや、ディスク全体に対応する文字情報、つまりトラックネームやディスクネーム等のネームの文字情報をディスク９０に記録することができる。
【００６２】
ユーザーがネーム登録としての文字情報入力を行うために、操作部１９としては、例えば操作ダイヤルなどによる文字選択操作子と、入力した文字列を決定し、文字入力操作を終了させる決定キーが用意されている。
【００６３】
またリモートコマンダー２９を用いても文字入力を行うことができるように、リモートコマンダー２９にはＡ〜Ｚのアルファベットキー、・  ’  ．  スペース  ？  ／／などの記号キーなどが用意され、さらに数字入力のためのテンキーなども用意される。またこれらのキーを用いて入力した文字列を決定し、文字入力操作を終了させる決定キーも用意されている。
【００６４】
システムコントローラ１１は、操作部１９やリモートコマンダー２９により入力された文字をＲＡＭ２４上で保持していき、決定操作により文字列が決定されることで、その文字列を、そのとき選択されているプログラムに対応させた状態で登録する。
【００６５】
選択されているプログラムとは、そのとき再生・記録・一時停止などの状態とされているプログラムである。もしこのような状態でなく、プログラムが選択されていない状態の場合は、入力文字列はディスク全体に対応する文字情報と扱われる。
【００６６】
登録された文字情報は、後述するＵＴＯＣセクター１のデータとしてディスク９０に書き込まれることでディスク９０上で確定することになる。ＵＴＯＣデータの更新は記録動作の後や文字入力動作の後において所定のタイミングで行われる。
【００６７】
ただし、光磁気ディスク９０に対して記録／再生動作を行う際には、光磁気ディスク９０に記録されている管理情報、すなわちＰＴＯＣ（プリマスタードＴＯＣ）、ＵＴＯＣ（ユーザーＴＯＣ）を読み出す必要がある。システムコントローラ１１はこれらの管理情報に応じて光磁気ディスク９０上の記録すべきエリアのアドレスや、再生すべきエリアのアドレスを判別することとなる。
【００６８】
この管理情報はバッファメモリ１３に保持される。このためバッファメモリ１３は、後述するようにして、記録データ／再生データ等のデータエリアとして利用されるバッファエリアと、これら管理情報を保持するＴＯＣエリアとが分割設定されている。
【００６９】
そして、システムコントローラ１１はこれらの管理情報を、光磁気ディスク９０が装填された際に管理情報の記録されたディスクの最内周側の再生動作を実行させることによって読み出し、バッファメモリ１３に格納しておき、以後その光磁気ディスク９０に対する記録／再生／編集動作の際に参照できるようにしている。
【００７０】
また、ＵＴＯＣはデータの記録や各種編集処理に応じて書き換えられるものであるが、システムコントローラ１１は記録／編集動作のたびに、ＵＴＯＣ更新処理をバッファメモリ１３に記憶されたＵＴＯＣ情報に対して行い、その書換え動作に応じて所定のタイミングで光磁気ディスク９０のＵＴＯＣエリアについても書き換えるようにしている。
【００７１】
つまり、ユーザがネーム登録をするために文字情報の入力操作を行った場合には、先ず、前述のようにして、入力されたディスクネーム又はトラックネームとしての文字情報がＲＡＭ２４上に保持され、文字入力が確定した段階で、ＲＡＭ２４の文字情報を利用して、バッファメモリ１３の管理情報を更新するようにされる。そして、この管理情報を所定のタイミングで光磁気ディスク９０のＵＴＯＣエリアに書き込むことで、光磁気ディスク９０のＵＴＯＣ内容の更新も行われることになる。
【００７２】
本実施の形態において、上記ネームとしての文字情報は、ネーム登録のための文字入力操作という、ユーザが行う編集操作により得られるものであることから、管理情報における編集情報の１つということができる。
【００７３】
なお、本実施の形態としては、上記した構成を基とした上で、ＲＡＭ２４に対してＴＯＣ文字情報エリアを設定することで、ＭＤレコーダ１に装填されているディスク９０だけでなく、ＭＤレコーダ１に装填されていないディスク９０を編集対象としてネームの文字入力編集を行うことが可能に構成されるのであるが、これについては後述する。
【００７４】
ここで光磁気ディスク９０の記録データトラックのクラスタフォーマットについて説明する。
【００７５】
ミニディスクシステムにおける記録動作はクラスタという単位で行われるが、このクラスタのフォーマットは図２（Ａ）〜（Ｅ）に示される。
【００７６】
ミニディスクシステムでの記録トラックとしては図２（Ａ）のようにクラスタＣＬが連続して形成されており、１クラスタが記録時の最小単位とされる。１クラスタは２〜３周回トラック分に相当する。
【００７７】
そして図２（Ｂ）のように１クラスタＣＬは、セクターＳFC〜ＳFFとされる４セクターのサブデータ領域と、セクターＳ00〜Ｓ1Fとして示す３２セクターのメインデータ領域から形成されている。メインデータとは、オーディオ用の場合はＡＴＲＡＣ処理により圧縮されたオーディオデータとなる。
【００７８】
１セクタは２３５２バイトで形成されるデータ単位である。
【００７９】
４セクターのサブデータ領域はサブデータやリンキングエリアとしてなどに用いられ、ＴＯＣデータ、オーディオデータ等の記録は３２セクターのメインデータ領域に行われる。リンキングエリアのセクターは、エラー訂正処理を施す際にＣＤ等で採用されている１セクター長（１３．３ｍｓｅｃ）と比較して今回採用したＣＩＲＣのインターリーブ長が長いので、その辻褄を合わせるために設けられている捨てセクタであり、基本的にはリザーブエリアとされるが、これらのセクターは何らかの処理や何らかの制御データの記録に用いることも可能である。
【００８０】
なお、アドレスは１セクター毎に記録される。
【００８１】
また、図２（Ｃ）に示すように、セクターはさらにサウンドグループという単位に細分化され、２セクターが１１サウンドグループに分けられている。
【００８２】
つまり図２（Ａ）〜（Ｄ）に示すように、セクターＳ00などの偶数セクターと、セクターＳ01などの奇数セクターの連続する２つのセクターに、サウンドグループＳＧ00〜ＳＧ0Aが含まれる状態となっている。１つのサウンドグループは４２４バイトで形成されており、１１．６１ｍｓｅｃの時間に相当する音声データ量となる。
【００８３】
図２（Ｅ）に示すように、１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
【００８４】
なお、Ｌチャンネル又はＲチャンネルのデータ領域となる２１２バイトをサウンドフレームとよんでいる。
【００８５】
光磁気ディスク９０には、上記図２（Ａ）〜（Ｅ）にて説明したようなクラスタフォーマットが全領域にわたって形成されるが、半径方向に分割されるエリアとして最内周側が管理領域とされ、その管理領域に続いてプログラム領域が形成される。
【００８６】
なお、ディスク最内周側は位相ピットにより再生専用データが記録される再生専用領域が設けられ、その再生専用領域に続いて光磁気記録再生可能な光磁気領域が形成される。上記管理領域は、再生専用領域と、光磁気領域の最内周部分となる。
【００８７】
光磁気領域の管理領域に続いてプログラム領域が形成されるが、そのプログラム領域においては、上記図２（Ａ）〜（Ｅ）のメインデータ領域としての各セクターにオーディオデータが記録されていく。
【００８８】
一方、管理領域として、再生専用領域にはディスク全体のエリア管理等を行うＰＴＯＣ（プリマスタードＴＯＣ）が設けられ、それに続く光磁気領域での管理領域に、プログラム領域に記録された楽曲等のオーディオデータである各プログラムを管理する目録情報(UTOC:user table of contents）が記録される。
【００８９】
ここで、光磁気ディスク９０において楽曲等のプログラムに相当するトラックの記録／再生動作などの管理を行う管理情報として、ＵＴＯＣセクターについて説明する。
【００９０】
図３はＵＴＯＣセクター０のフォーマットを示すものである。
【００９１】
なお、ＵＴＯＣセクターとしてはセクター０〜セクター３１まで設けることができる。つまり管理領域における１クラスタの各セクター（Ｓ00〜Ｓ1F）を用いることができる。そしてセクター１，セクター４は文字情報、セクター２は記録日時を記録するエリアとされる。
【００９２】
ＵＴＯＣセクター０は、主にユーザーが記録を行ったプログラムや新たにプログラムが記録可能なフリーエリアについての管理情報が記録されているデータ管理領域とされる。すなわちセクター０ではプログラム領域に記録されている各プログラムの起点となるスタートアドレス、終点となるエンドアドレスや、各プログラムの性格を表すトラックモードとしてのコピープロテクト情報、エンファシス情報等が管理されている。
【００９３】
例えばディスク１に或る楽曲の録音を行おうとする際には、システムコントローラ１１は、ＵＴＯＣセクター０からディスク上のフリーエリアを探し出し、ここに音声データを記録していくことになる。また、再生時には再生すべき楽曲が記録されているエリアをＵＴＯＣセクター０から判別し、そのエリアにアクセスして再生動作を行う。
【００９４】
図３に示すようにＵＴＯＣセクター０には、１２バイトでシンクパターンが形成されるヘッダ部に続いて、当該セクターのアドレスとして３バイトのデータ「Cluster H 」「Cluster L 」「SECTOR」と、ディスクの製造元を示すメーカコード「maker code」とモデルコード「model code」、最初のプログラム番号「First TNO 」、最後のプログラム番号「Last TNO」、セクター使用状況「used sectors」、ディスクシリアル番号「disc serial No」、ディスクＩＤ等が記録されている。
【００９５】
更にディスク上に生じた欠陥位置情報を格納するスロットの先頭位置を示すポインタＰ−ＤＦＡ(Pointer for defective area)と、スロットの使用状況を示すポインタＰ−ＥＭＰＴＹ(Pointer for Empty slot)、記録可能領域を管理するスロットの先頭位置を示すポインタＰ−ＦＲＡ(Pointer for Freely area) 、各プログラム番号に対応したスロットの先頭位置を各々示すポインタＰ−ＴＮＯ１，Ｐ−ＴＮＯ２，・・・，Ｐ−ＴＮＯ２５５から構成される対応テーブル指示データ部が記録されている。
【００９６】
続いて各８バイトのスロットが２５５個設けられている管理テーブル部が設けられる。各スロットにはスタートアドレス、エンドアドレス、トラックモード、リンク情報が管理されている。
【００９７】
本例の光磁気ディスク９０は、記録媒体上にデータを必ずしも連続した形態で記録しなくてもよく、シーケンシャルなデータ列を記録媒体上で離散して複数のパーツとして記録してもいいことになっている。なおパーツとは時間的に連続したデータが物理的に連続したクラスタに記録されている部分を指す。
【００９８】
すなわちディスク９０に適応される再生装置として図１のＭＤレコーダ１では上述のようにデータを一旦バッファメモリ１３に蓄積することと、バッファメモリ１３への書き込みレートと読出レートを変えるようにしたので、光学ヘッド３をディスク９０上に離散的に記録されたデータに順次アクセスさせてはバッファメモリ１３にデータを蓄積させることで、バッファメモリ１３上ではシーケンシャルなデータ列に復元して再生することができる。
【００９９】
このように構成しても再生時のバッファメモリ１３への書き込みレートを読出レートより早くしているので連続した音声再生が妨げられる事はない。
【０１００】
また、既に記録済みのプログラムの上に記録済みのプログラムより短いプログラムを上書きしても、余った部分を消去することなくポインタＰ−ＦＲＡから管理される記録可能領域として指定することで効率よく記録容量を使用することができる。
【０１０１】
記録可能領域を管理するポインタＰ−ＦＲＡの例を用いて離散的に存在するエリアの結合方法について図４（Ａ）〜（Ｆ）を参照して説明する。
【０１０２】
図４（Ａ）に示すように、記録可能領域を管理するスロットの先頭位置を示すポインタＰ−ＦＲＡに例えば０３ｈ(hexia-decimal) という値が記録されたとすると、続いてこの「０３ｈ」に対応するスロットがアクセスされる。すなわち管理テーブル部におけるスロット０３ｈのデータが読み込まれる。
【０１０３】
図４（Ｂ）に示すように、スロット０３ｈに記録されているスタートアドレス及びエンドアドレスデータはディスク上に記録された１つのパーツの起点と終点を示す。
【０１０４】
スロット０３ｈに記録されているリンク情報は次に続くべきスロットのアドレスを示しており、この場合は１８ｈが記録されている。
【０１０５】
図４（Ｃ）に示すように、スロット１８ｈに記録されているリンク情報を順に辿って図４（Ｅ）に示すスロット２Ｂｈをアクセスしスロット２Ｂｈに記録されているスタートアドレス及びエンドアドレスとしてディスクの１つのパーツの起点と終点を把握する。
【０１０６】
さらに同様にリンク情報として図４（Ｆ）に示される「００ｈ」のデータが現れるまでリンク情報をたどっていくことで、ポインタＰ−ＦＲＡから管理される全パーツのアドレスを把握できる。
【０１０７】
このようにポインタＰ−ＦＲＡによって指示されるスロットを起点にリンク情報がｎｕｌｌを示す００ｈになるまでスロットを辿り、ディスク上に離散的に記録されたパーツをメモリ上でつなげることが可能となる。この場合、ディスク９０上の記録可能領域域としての全パーツが把握できる。
【０１０８】
この例ではポインタＰ−ＦＲＡを例に説明したがポインタＰ−ＤＦＡ、Ｐ−ＥＭＰＴＹ、Ｐ−ＴＮＯ１，Ｐ−ＴＮＯ２，・・・，Ｐ−ＴＮＯ２５５も同様に離散的に存在するパーツを結合して管理する。
【０１０９】
続いて図５にＵＴＯＣセクター１のフォーマットを示す。
【０１１０】
ＵＴＯＣセクター１では、プログラム領域に記録されている各プログラムに対応する文字情報や、光磁気ディスク全体に対応する文字情報として例えばディスクタイトルが管理されている。
【０１１１】
ディスクタイトルとは、記録されるプログラムがオーディオデータの場合はアルバムタイトル、演奏者名等の情報になり、各プログラムに対応する文字情報とは例えば曲名などとなる。これらの文字情報はユーザーが任意に文字を設定して入力し、登録されるものである。
【０１１２】
各プログラム毎の文字情報は、対応テーブル指示データのポインタＰ−ＴＮＡ（ｘ）によって指示される文字テーブル内のスロットに記録されている。ただし、ｘは１から２５５である。１つのスロットには７バイトの文字情報が記録できるが、文字数が多い場合はリンク情報を用いて複数のスロットを連結して記録を行うことができる。
【０１１３】
なお、更にＵＴＯＣセクター２ではプログラム領域に記録されている各プログラム毎の記録日時が同様な形態で管理されている。
【０１１４】
また、ＵＴＯＣセクター４に関してはプログラム領域に記録されている各プログラムのタイトル、光磁気ディスク全体のタイトル等の文字情報のフォントとしてカタカナ、漢字が使用できるように図５と同様な形態で管理が行われる。
【０１１５】
ここで、本実施の形態のＭＤレコーダ１に備えられるバッファメモリ１３、ＲＡＭ２４の構造例について説明する。
【０１１６】
バッファメモリ１３は、図６（Ａ）に示すようにして、記録データ／再生データが蓄積されるデータエリアＡ１と、これら記録データ／再生データについての管理情報を保持するＴＯＣエリアＡ２とが分割設定されている。
【０１１７】
前述したように、ＴＯＣエリアＡ１は、ＭＤレコーダ１に装填された光磁気ディスク９０から読み出された管理情報であるＰＴＯＣ及びＵＴＯＣが格納される領域であるとともに、この管理情報が、記録動作やネーム登録などのための編集操作に従って逐次更新されるための領域とされる。
【０１１８】
また、ＲＡＭ２４は、図６（Ｂ）に示すようにして、システムコントローラ制御用エリアＡ１１と、文字情報制御用エリアＡ１２と、ＴＯＣ文字情報エリアＡ１３との３つの領域に分割設定される。
【０１１９】
システムコントローラ制御用エリアＡ１１は、システムコントローラ１１が各種制御処理を実行する際に利用されるプログラムデータや、実行された制御処理に応じて得られる演算結果などの情報が逐次格納される領域である。
【０１２０】
文字情報制御用エリアＡ１２は、例えばユーザが行ったネーム編集のための文字情報の入力操作に従って、入力された文字情報によるネームの作成、変更などの編集を行う場合の作業領域として設定された領域である。
【０１２１】
また、ＴＯＣ文字情報エリアＡ１３は、ネーム登録のための操作に従って確定された、トラックネーム及びディスクネームとしての文字情報が格納される領域とされる。
【０１２２】
なお、バッファメモリ１３及びＲＡＭ２４を構成するメモリ素子としては、特に限定されるものではないが、例えばバッファメモリ１３には、比較的大容量の記録データ／再生データが蓄積されることを考慮してＤＲＡＭ(Dynamic Random Access Memory)により構成することで、コストを抑制することが可能となる。
【０１２３】
また、ＲＡＭ２４は、さほど大容量を必要としないことから、特にコストを考慮することなく、ＳＲＡＭ(Static Random Access Memory) を用いることができる。
【０１２４】
そして、このＭＤレコーダ１では、ディスク９０に記録されている曲を複数のグループとして管理するために、アルバム名をＵＴＯＣセクター１のディスクネーム領域に、次の原則（Ａ），（Ｂ），（Ｃ）に従って記述するようにした。
（Ａ）  アルバム内の最初と最後のプログラム番号（「First TNO 」、「Last TNO」）を特殊コード「−」を挟んで記述する。又は、プログラム番号を特殊コード「，」で区切って記述する。なお、特殊コード「−」でプログラム番号を記述する形式と、特殊コード「，」でプログラム番号を記述する形式とを混在させることも可能である。
（Ｂ）  プログラム番号とアルバム名の間を特殊コード「；」で区切る。
（Ｃ）  アルバムを特殊コード「／／」で区切るとともに最後のアルバムの後ろにも特殊コード「／／」を置く。
【０１２５】
例えばプログラム番号（ｎ１−ｎ２）；アルバム名１、プログラム番号（ｎ２−ｎ４）；アルバム名２、プログラム番号（ｎ５−ｎ６）；アルバム名３の３つのアルバムを記録した場合、ＵＴＯＣセクター１のディスクネーム領域には、「ｎ１−ｎ２；アルバム名１／／ｎ２−ｎ４；アルバム名２／／ｎ５−ｎ６；アルバム名３」がアルバム名として記述される。
【０１２６】
アルバム毎のプログラム番号ＴＮＯは、First TNOからLast TNOの範囲に属し、欠番は認めるが、必ず増加するものとする。
【０１２７】
また、例えばプログラム番号（ｎ１−ｎ２）；アルバム名１、プログラム番号（ｎ３，ｎ５，ｎ１０）；アルバム名２、プログラム番号（ｎ１２−ｎ１５）；アルバム名３の３つのアルバムを記録した場合、ＵＴＯＣセクター１のディスクネーム領域には、「ｎ１−ｎ２；アルバム名１／／ｎ３，ｎ５，ｎ１０；アルバム名２／／ｎ１２−ｎ１５；アルバム名３／／」がアルバム名として記述される。この場合アルバム名１には、ｎ１からｎ２の範囲に属するプログラムが記録されており、アルバム名２にはｎ３とｎ５とｎ１０のプログラムが記録されており、アルバム名ｎ１２からｎ１５の範囲に属するプログラムとｎ１７のプログラムとが記録されていることとなる。
【０１２８】
どのトラックにも属していないトラックを認める。
【０１２９】
さらに１つのトラックが複数のアルバムに登録されることも可能とされている。この場合記録されているトラックは１つであって、アルバムへの登録のみ重複している。このようにされることで不要なトラックの記録が行われず記録媒体の記録容量の節約となってより多くのトラックの記録が可能となる。
【０１３０】
１つのトラックのみで構成されるアルバムの場合は、プログラム番号ＴＮＯ間の特殊コード「−」を省略することができる。
【０１３１】
全てのアルバムとトラックを含めたディスク名を記述する時は、必ず先頭にＴＮＯ＝０として記述する。
【０１３２】
アルバム名にｎｕｌｌとしてブランクを認める。
【０１３３】
アルバム名に「−」や「／」の使用を認める。
【０１３４】
１つのディスク内でのアルバム名の重複を認める。
【０１３５】
なお、ここで以下のような制限を設けることで処理を簡易にすることも可能である。
【０１３６】
ここで、１つのトラックは連続したプログラム番号ＴＮＯで示されるトラックの集合のみで構成される。
【０１３７】
１つのトラックは１つのアルバムのみに登録される。
【０１３８】
ここで、上記各条件を用いると、例えば、ディスク名「collections 」のディスクにおいて、トラック番号TR1〜7にはアルバム名「Ted Zeppelin Presence」のアルバムが記録され、トラック番号TR8〜17にはアルバム名「Dream Come True」のアルバムが記録され、トラック番号TR18〜24 にはアルバム名「Hikaru Utade/Automatic 」のアルバムが記録され、トラック番号TR25、TR26は未記録、トラック番号TR27〜30にはアルバム名「null」（無名）のアルバムが記録され、トラック番号TR31〜38にはアルバム名「1999-2000；My Favorites 」のアルバムが記録され、トラック番号TR39にはアルバム名「Love is Over」のアルバムが記録され、トラック番号TR40は未記録、トラック番号TR41にはアルバム名「Love is Over」のアルバムが記録されている場合、ＵＴＯＣセクター１のディスクネーム領域には、次のように記述される。
【０１３９】
0；collections//1-7；Ted Zeppelin Presence//8-7；Dream Come True//18-24；Hikaru Utade/Automatic//27-30；//31-38;1999-2000；My Favorites//39；Love is Over//41-41;Love is Over
すなわち、このＭＤレコーダ１で情報の記録／再生が行われる光磁気ディスク９０は、複数のプログラムが記録されるプログラム領域と、上記プログラム領域に記録された各々のプログラムに対応するプログラム名を管理する第１の管理情報と、上記プログラム領域に記録された複数のプログラムをアルバムに相当する複数のグループに集合化し各々のグループ毎にアルバム名に相当するグループ名を管理する第２の管理情報とが記録されるＵＴＯＣセクター１のディスクネーム領域として利用される管理領域を備える。さらに、このＭＤレコーダ１で情報の記録／再生が行われる光磁気ディスク９０の上記管理領域に記録される第２の管理情報が、グループを構成するプログラム番号の範囲情報として「ｎ１−ｎ２」と上記複数のアルバム名に相当するグループ名を区切る特殊コード「／／」とアルバム名に相当するグループ名とから構成される。上記第２の管理情報には、この光磁気ディスク９０の記録媒体自身のラベル名としてディスク名を含んでいる。
【０１４０】
換言すると、１以上のグループを管理する管理情報は、各々のグループを管理する第２の管理情報を区切り記号としての「／／」によって各々を区切り、各々の第２の管理情報においては、各々のグループを構成するプログラムを管理する管理情報と各々のグループの名称を管理する管理情報とを分離するための分離記号として「；」によって分離されて管理されている。
【０１４１】
このＭＤレコーダ１では、アルバムに相当するグループを構成するプログラム番号の範囲情報「ｎ１−ｎ２」とアルバム名に相当する上記複数のグループ名を区切る特殊コード「／／」とグループ名とから構成される第２の管理情報を光磁気ディスク９０のＵＴＯＣセクター１のディスクネーム領域に記録することによって、プログラム領域に記録されている複数のプログラムを複数のグループとして管理して、編集処理を行う。
すなわち、このＭＤレコーダ１におけるシステムコントローラ１１は、このようにして管理されたアルバム名に相当するグループ情報に基づいて、次ような編集処理を実行する機能を備えている。そして、図７に示すようなメニューを表示部２０に表示して、操作部１９やリモートコマンダー２９により入力を受けて、アルバムタイトル入力モード、アルバムタイトル表示モード、アルバム消去モード、アルバム移動モード、アルバムＡＭＳモードやアルバムリピートモード等の各種処理を実行する。
【０１４２】
アルバムタイトル入力モードは、例えばアルバム釦を押しながらエディット釦を押すことによって設定されるモードであって、このアルバムタイトル入力モード現在演奏中のアルバムのタイトルを入力することができる。また、エディットメニューから「アルバムタイトル」を選択し、先頭曲と最終曲を範囲指定等によって選択してアルバムタイトルを入力する。
【０１４３】
このアルバムタイトル入力モードの処理は、例えば図８のフローチャートに示す手順に従って行われる。
【０１４４】
なお、ここでは処理と説明を簡単にするために特殊記号「−」による曲番号指定によってアルバム内の曲を指定する場合についてのみ説明する。特殊記号「，」によるアルバムに属する曲番号の指定については特殊記号「−」の場合と同様な処理で行われ、判定条件を変更することで対処可能とされている。さらに同様に説明を簡略化するために１つのトラックは複数のアルバムに重複して登録されない状態で説明を行う。
【０１４５】
アルバムタイトル入力モードでは、先ず、アルバム先頭曲番号の入力を受け付けてレジスタＡに取り込み（ステップＳ１）、次にアルバム最終曲番号の入力を受け付けてレジスタＢに取り込む（ステップＳ２）。
【０１４６】
そして、Ａ＝Ｂすなわち受け付けたアルバム先頭曲番号とアルバム最終曲番号が等しいか否かを判定する（ステップＳ３）。このステップＳ３における判定結果がＹＥＳすなわちアルバム先頭曲番号とアルバム最終曲番号が等しい場合には、アルバム先頭曲番号ＡをＡＳＣＩＩコード化してａとして、「ａ；」をバッファに格納する（ステップＳ４）。また、ステップＳ３における判定結果がＮＯすなわちアルバム先頭曲番号とアルバム最終曲番号が異なる場合には、アルバム先頭曲番号ＡをＡＳＣＩＩコード化してａ、アルバム最終曲番号ＢをＡＳＣＩＩコード化してｂとして、「ａ−ｂ；」をバッファに格納する（ステップＳ５）。
次にアルバムタイトルの入力を受け付けて（ステップＳ６）、入力されたアルバムタイトルをバッファに格納する（ステップＳ７）。
そして、このようにしてバッファに格納した内容［ａ or ａ−ｂ；(アルバムタイトル) ］をディスクネーム領域に登録して（ステップＳ８）、アルバムタイトル入力モードの処理を終了する。
上記ステップＳ８におけるディスクネーム領域への登録処理は、例えば図９のフローチャートに示す手順に従って行われる。
【０１４７】
すなわち、ディスクネーム領域への登録処理では、先ず、ディスクネーム領域がｎｕｌｌであるか否かの判定を行う（ステップＳ８０１）。ディスクネーム領域がｎｕｌｌとはディスクネームが無いすなわち無名でありブランクであることを示している。このステップＳ８０１における判定結果が＝ｎｕｌｌすなわちディスクネーム領域がｎｕｌｌであるときには、バッファの内容［ａ or ａ−ｂ；(アルバムタイトル) ］をディスクネーム領域に登録して（ステップＳ８０２）、ディスクネーム領域への登録処理を終了する。これにより、ディスクネーム領域＝ｎｕｌｌのところに例えば「８−１０；ＧＡ」というアルバムタイトルを入力した場合、図１０に示すような内容がディスクネーム領域に登録される。
【０１４８】
また、上記ステップＳ８０１における判定結果が≠ｎｕｌｌすなわちディスクネーム領域がｎｕｌｌでないときには、「ｎ１−ｍ１；」  又は「ｎ１；」の形式を先頭から検索し（ステップＳ８０３）、さらに、形式が一致するか否かの判定を行う（ステップＳ８０４）。ここで、ｎ１及びｍ１はＡＳＣＩＩコード化された数値である。
【０１４９】
上記ステップＳ８０４における判定結果がＮＯすなわち形式が一致していない場合には、ディスクネーム領域の先頭に「０；」を挿入し（ステップＳ８０５）、ディスクネーム領域内を示すポインタを最後尾に移動し（ステップＳ８０６）、ディスクネーム領域に「／／」に続けてバッファの内容［ａ or ａ−ｂ；(アルバムタイトル) ］を追加して（ステップＳ８０７）、ディスクネーム領域への登録処理を終了する。これにより、例えば図１１（Ａ）に示すように元々「ＭｉｎｉＤｉｓｃ／／」というディスクネームがあるところに「１−７；ＳＯＮＹ」というアルバムネームを追加した場合、図１１（Ｂ）に示すように「０；ＭｉｎｉＤｉｓｃ／／１−７；ＳＯＮＹ」がディスクネーム領域に登録される。
【０１５０】
また、上記ステップＳ８０４における判定結果がＹＥＳすなわち形式が一致している場合には、「ｎ２−ｍ２；」又は「ｎ２；」の形式を続けて検索し（ステップＳ８０８）、さらに、形式が一致するか否かの判定を行う（ステップＳ８０９）。ここで、ｎ１及びｍ１はＡＳＣＩＩコード化された数値である。
【０１５１】
上記ステップＳ８０９における判定結果がＮＯすなわち形式が一致していない場合には、上記ステップＳ８０６に移ってディスクネーム領域内を示すポインタを最後尾に移動し、ディスクネーム領域に「／／」に続けてバッファの内容を追加して（ステップＳ８０７）、ディスクネーム領域への登録処理を終了する。また、このステップＳ８０９における判定結果がＹＥＳすなわち形式が一致している場合には、アルバム先頭曲番号Ａを示すＡＳＣＩＩコード化された数字ａがｎ１よりも大きくｎ２よりも小さい否かを判定する（ステップＳ８１０）。
【０１５２】
上記ステップＳ８１０における判定結果がＮＯすなわち上記数値ａがｎ１とｎ２の間にない場合には、ｎ２をｎ１とし、また、ｍ２をｍ１として（ステップＳ８１１）、上記ステップＳ８０８に戻り、ステップＳ８０８乃至ステップＳ８１１の処理を繰り返し行う。また、上記ステップＳ８１０における判定結果がＹＥＳすなわち上記数値ａがｎ１とｎ２の間にある場合には、バッファの内容［ａ or ａ−ｂ；(アルバムタイトル)］の先頭に「／／」を付加する（ステップＳ８１２）。
【０１５３】
そして、「／／ｎ２」の直前にバッファの内容［／／ａ or ａ−ｂ;(アルバムタイトル) ］を挿入して（ステップＳ８１３）、ディスクネーム領域への登録処理を終了する。これにより、例えば、元々図１０に示した「８−１０；ＧＡ」というアルバムタイトルが登録されているところに、「１−７；ＳＯＮＹ」というアルバムタイトルを追加した場合、図１２に示すような内容がディスクネーム領域に登録される。
また、アルバムタイトル表示モードは、例えばディスプレイモード釦を押す、又はディスプレイメニューよりアルバムタイトルを選択することによって設定されるモードである。このアルバムタイトル表示モードの処理は、例えば図１３のフローチャートに示す手順に従って行われる。
【０１５４】
アルバムタイトル表示モードでは、先ず、現在再生中又は停止しているトラック番号をレジスタＴＮＯに取り込む（ステップＳ１１）。
【０１５５】
次に、ディスクネーム領域の先頭から「ｎ−ｍ；」形式を検索し（ステップＳ１２）、上記レジスタＴＮＯの値が検索したｎよりも大きくｍよりも小さいか否かを判定する（ステップＳ１３）。
【０１５６】
上記ステップＳ１３における判定結果がＮＯすなわち上記レジスタＴＮＯの値が検索したｎとｍの間にない場合には、次の検索の設定を行って（ステップＳ１４）、上記ステップＳ１２に戻り、ステップＳ１２乃至ステップＳ１４の処理を繰り返し行う。そして、上記ステップＳ１３における判定結果がＹＥＳすなわち上記レジスタＴＮＯの値が検索したｎとｍの間にある場合には、「ｎ−ｍ；」の後方に「／／」があるか否かを判定する（ステップＳ１５）。
【０１５７】
このステップＳ１５における判定結果がＹＥＳすなわち「ｎ−ｍ；」の後方に「／／」がある場合には、「ｎ−ｍ；」の次の文字から「／／」までを抽出して、バッファに格納する（ステップＳ１６）。また、このステップＳ１５における判定結果がＮＯすなわち「ｎ−ｍ；」の後方に「／／」がない場合には、「ｎ−ｍ；」の最後までを抽出して、バッファに格納する（ステップＳ１７）。
【０１５８】
そして、バッファの内容を表示して（ステップＳ１８）、このアルバムタイトル表示モードの処理を終了する。
また、アルバム消去モードは、例えばアルバム釦を押しながらイレーズ釦を押すことによって設定されるモードであって、このモードでは現在演奏中のアルバムを丸ごと消去することができる。また、このアルバム消去モードは、エディットメニューからアルバムイレーズを選択し、アルバム名から消去したいグループを選択することにより実行される。
【０１５９】
このアルバム消去モードの処理は、例えば図１４のフローチャートに示す手順に従って行われる。
このアルバム消去モードでは、先ず、現在再生中又は停止しているトラック番号をレジスタＴＮＯに取り込む（ステップＳ２１）。
【０１６０】
次に、ディスクネーム領域の先頭から「ｎ１−ｎ２；」形式を検索し（ステップＳ２２）、上記レジスタＴＮＯの値が検索したｎ１よりも大きくｎ２よりも小さいか否かを判定する（ステップＳ２３）。
【０１６１】
上記ステップＳ２３における判定結果がＮＯすなわち上記レジスタＴＮＯの値が検索したｎ１とｎ２の間にない場合には、次の検索の設定を行って（ステップＳ２４）、上記ステップＳ２２に戻り、ステップＳ２２乃至ステップＳ２４の処理を繰り返し行う。そして、上記ステップＳ２３における判定結果がＹＥＳすなわち上記レジスタＴＮＯの値が検索したｎ１とｎ２の間にある場合には、アルバムに含まれるトラックの連続消去処理を行い（ステップＳ２５）、さらに、ディスクネーム領域からアルバムタイトルを消去して（ステップＳ２６）、このアルバム消去モードの処理を終了する。
【０１６２】
このアルバム消去モードの処理により、例えば、図１５（Ａ）に示すように、「１−７；ＳＯＮＹ／／８−１０；ＧＡ／／１１−２０；ＭｉｎｉＤｉｓｃ」が登録されていたディスクネーム領域から「８−１０；ＧＡ」というアルバムを消去した場合、ディスクネーム領域の登録内容は、図１５（Ｂ）に示すように、「１−７；ＳＯＮＹ／／８−１７；ＭｉｎｉＤｉｓｃ」となる。
【０１６３】
ここで、上記ステップＳ２５のトラックの連続消去処理は、例えば図１６のフローチャートに示す手順に従って行われる。
すなわち、トラックの連続消去処理では、先ず、ｉ＝ｎ２−ｎ１＋１の演算により、アルバムの収録曲数ｉを算出する（ステップＳ２５１）。
【０１６４】
次に、ｐ＝ｎ１として、消去する曲のポインタｐを設定する（ステップＳ２５２）。
次に、ポインタｐの設定された曲を１曲消去する１曲消去処理を行う（ステップＳ２５３）。
【０１６５】
そして、アルバムの収録曲に対して繰り返し処理が行われたか否かを判定するためにアルバムの収録曲数ｉが０より大きいか否かを判定し（ステップＳ２５４）、その判定結果がＹＥＳすなわ収録曲数ｉが０より大きい場合には収録曲数ｉを１減じて（ステップＳ２５５）ステップＳ２５２に戻り、収録曲数ｉが０になるまで、ステップＳ２５２乃至Ｓ２５５の処理を繰り返し行って、トラックの連続消去処理を終了する。
ここで、上記ステップＳ２５３における１曲消去処理は、例えば図１７のフローチャートに示す手順に従って行われる。
すなわち、１曲消去処理では、先ずポインタｐの設定された曲を１曲消去する（ステップＳ２５３１）。
次に、（ｎ１＋１）曲目があるか否かを判定し（ステップＳ２５３２）、その判定結果がＮＯすなわち（ｎ１＋１）曲目がなければ、トラックの連続消去処理を終了する。
【０１６６】
また、上記Ｓ２５３２における判定結果がＹＥＳすなわち（ｎ１＋１）曲目がある場合には、（ｎ１＋１）曲目以降の曲番号を１つずつ繰り上げる（ステップＳ２５３３）。
次に、最終曲か否かを判定して（ステップＳ２５３４）、その判定結果がＮＯすなわち最終曲でない場合には、上記ステップＳ２５３３に戻って、このステップＳ２５３４における判定結果がＹＥＳすなわち最終曲になるまでステップＳ２５３３及びステップＳ２５３４の処理を繰り返し行って、１曲消去処理を終了する。
【０１６７】
また、上記ステップＳ２６におけるアルバムタイトル消去処理は、例えば図１８のフローチャートに示す手順に従って行われる。
このアルバムタイトル消去処理では、先ず「ｎ１−ｎ２」の直前に「／／」があるか否かを判定する（ステップＳ２６１）。
【０１６８】
このステップＳ２６１における判定結果がＹＥＳすなわち「ｎ１−ｎ２」の直前に「／／」がある場合には、「ｎ１−ｎ２」の直前の「／／」を削除してから（ステップＳ２６２）、ステップＳ２６３に進む。また、このステップＳ２６１における判定結果がＮＯＳすなわち「ｎ１−ｎ２」の直前に「／／」がない場合には、そのままステップＳ２６３に進む。
【０１６９】
ステップＳ２６３では、「ｎ１−ｎ２」の後方に「／／ｎ３」（ｎ３＝ｎ２＋１）があるか否かを判定する。そして、このステップＳ２６３における判定結果がＮＯすなわち「ｎ１−ｎ２」の後方に「／／ｎ３」がない場合には、「ｎ１−ｎ２」以降の文字列を削除して（ステップＳ２６４）、このアルバムタイトル消去処理を終了する。また、このステップＳ２６３における判定結果がＹＥＳすなわち「ｎ１−ｎ２」の後方に「／／ｎ３」がある場合には、「／／ｎ３」の直前までの文字列を削除して（ステップＳ２６５）、ステップＳ２６６に進む。
ステップＳ２６６では、「／／ｎ３−ｎ４」の形式であるか否かを判定する。このステップＳ２６６におけるＮＯすなわち「／／ｎ３−ｎ４」の形式でない場合にはステップＳ２６８に進み、このステップＳ２６６におけるＹＥＳすなわち「／／ｎ３−ｎ４」の形式である場合には、ｎ４−（ｎ２−ｎ１＋１）を新たなｎ４として、次のアルバムの最終曲番号を補正してから（ステップＳ２６７）、ステップＳ２６８に進む。
【０１７０】
ステップＳ２６８では、ｎ３−（ｎ２−ｎ１＋１）を新たなｎ３として、次のアルバムの先頭曲番号を補正する。
そして、さらに後方に「／／ｎ５」の形式が存在するか否かを判定し（ステップＳ２６９）、そのＹＥＳすなわち後方に「／／ｎ５」の形式がある場合には、上記ステップＳ２６７に戻って、このステップＳ２５６における判定結果がＮＯすなわち後方に「／／ｎｘ」の形式がなくなるまでステップＳ２６７乃至ステップＳ２６９の処理を繰り返し行い、継続して曲番号を補正して、アルバムタイトル消去処理を終了する。
【０１７１】
このように、このＭＤレコーダ１では、上記複数のグループあるいはアルバム内の所定グループあるいはアルバムに対して一括消去指示がなされた場合に、上記第２の管理情報中の上記グループあるいはアルバムを構成するプログラム番号の範囲情報と上記グループ名あるいはアルバム名との対応関係を編集することにによって、上記光磁気ディスク９０に記録されているプログラムを複数のグループあるいはアルバムとして管理して、グループあるいはアルバム毎の一括消去による編集を行うことができる。
【０１７２】
また、アルバム移動モードの処理は、例えば図１９のフローチャートに示す手順に従って行われる。
このアルバム移動モードでは、先ず、現在再生中又は停止しているトラック番号をレジスタＴＮＯに取り込む（ステップＳ３１）。
【０１７３】
次に、ディスクネーム領域の先頭から「ｎ１−ｎ２；」形式を検索し（ステップＳ３２）、上記レジスタＴＮＯの値が検索したｎ１よりも大きくｎ２よりも小さいか否かを判定する（ステップＳ３３）。
【０１７４】
上記ステップＳ３３における判定結果がＮＯすなわち上記レジスタＴＮＯの値が検索したｎ１とｎ２の間にない場合には、次の検索の設定を行って（ステップＳ３４）、上記ステップＳ３２に戻り、ステップＳ３２乃至ステップＳ３４の処理を繰り返し行う。そして、上記ステップＳ３３における判定結果がＹＥＳすなわち上記レジスタＴＮＯの値が検索したｎ１とｎ２の間にある場合には、アルバムに含まれるトラックの連続移動処理を行い（ステップＳ３５）、さらに、ディスクネーム領域からアルバムタイトルを変更して（ステップＳ３６）、このアルバム移動モードの処理を終了する。
【０１７５】
このアルバム移動モードの処理により、例えば、図２０（Ａ）に示すように、「１−７；ＳＯＮＹ／／８−１０；ＧＡ／／１１−２０；ＭｉｎｉＤｉｓｃ」が登録されていたディスクネーム領域において「８−１０；ＧＡ」というアルバムを「１１−２０；ＭｉｎｉＤｉｓｃ」というアルバムの後方に移動した場合、ディスクネーム領域の登録内容は、図２０（Ｂ）に示すように、「１−７；ＳＯＮＹ／／８−１７；ＭｉｎｉＤｉｓｃ／／１８−２０；ＧＡ」となる。
【０１７６】
このように、このＭＤレコーダ１では、上記複数のグループ又はアルバム内の所定グループに対して順序の変更指示が行われた場合に、上記第２の管理情報中の上記グループ又はアルバムを構成するプログラム番号の範囲情報と上記グループ名又はアルバム名との対応関係を編集することで上記所定グループ又はアルバムの一括移動を行うようにしたことにより、光磁気ディスク９０に記録されているプログラムを複数のグループ又はアルバムとして管理して、グループ（アルバム）毎に移動する編集を行うことができる。
【０１７７】
また、アルバムＡＭＳモードは、例えばアルバム釦を押しながらＦＦ／ＦＲ釦を押すことによって設定されるモードであって、このモードでは現在演奏中の曲が含まれるアルバムの次のアルバムにアクセスすることができる。このアルバムＡＭＳモードの処理は、例えば図２１のフローチャートに示す手順に従って行われる。
このアルバムＡＭＳモードでは、先ず、現在再生中又は停止しているトラック番号をレジスタＴＮＯに取り込む（ステップＳ４１）。
【０１７８】
次に、ディスクネーム領域の先頭から「ｎ１−ｎ２；」形式を検索し（ステップＳ４２）、上記レジスタＴＮＯの値が検索したｎ１よりも大きくｎ２よりも小さいか否かを判定する（ステップＳ４３）。
【０１７９】
上記ステップＳ４３における判定結果がＮＯすなわち上記レジスタＴＮＯの値が検索したｎ１とｎ２の間にない場合には、次の検索の設定を行って（ステップＳ４４）、上記ステップＳ４２に戻り、ステップＳ４２乃至ステップＳ４４の処理を繰り返し行う。そして、上記ステップＳ４３における判定結果がＹＥＳすなわち上記レジスタＴＮＯの値が検索したｎ１とｎ２の間にある場合には、「ｎ１−ｎ２」の後方の「／／ｎ３」を検索する（ステップＳ４５）。
次のステップＳ４６では、「ｎ１−ｎ２」の後方に「／／ｎ３」が存在するか否かを判定する。そして、このステップＳ４６における判定結果がＮＯすなわち「ｎ１−ｎ２」の後方に「／／ｎ３」がない場合には、このアルバムＡＭＳモードの処理を終了する。また、このステップＳ４６における判定結果がＹＥＳすなわち「ｎ１−ｎ２」の後方に「／／ｎ３」がある場合には、トラック番号ｎ３に対応するアルバム名、曲名を表示して（ステップＳ４７）、トラック番号ｎ３にアクセスして（ステップＳ４８）、このアルバムＡＭＳモードの処理を終了する。
【０１８０】
また、アルバムリピートモードの処理は、例えば図２２のフローチャートに示す手順に従って行われる。
このアルバムリピートモードでは、先ず、現在再生中又は停止しているトラック番号をレジスタＴＮＯに取り込む（ステップＳ５１）。
【０１８１】
次に、ディスクネーム領域の先頭から「ｎ１−ｎ２；」形式を検索し（ステップＳ５２）、上記レジスタＴＮＯの値が検索したｎ１よりも大きくｎ２よりも小さいか否かを判定する（ステップＳ５３）。
【０１８２】
上記ステップＳ５３における判定結果がＮＯすなわち上記レジスタＴＮＯの値が検索したｎ１とｎ２の間にない場合には、次の検索の設定を行って（ステップＳ５４）、上記ステップＳ５２に戻り、ステップＳ５２乃至ステップＳ５４の処理を繰り返し行う。そして、上記ステップＳ５３における判定結果がＹＥＳすなわち上記レジスタＴＮＯの値が検索したｎ１とｎ２の間にある場合には、ＴＮＯ＋１の値がｎ２よりも小さいか否かを判定する（ステップＳ５５）。
そして、このステップＳ５５における判定結果がＹＥＳすなわちＴＮＯ＋１の値がｎ２よりも小さい場合には、次のトラックをＴＮＯ＋１に設定し（ステップＳ５６）、また、このステップＳ５５における判定結果がＮＯすなわちＴＮＯ＋１の値がｎ２よりも小さい場合には、ｎ１をトラック番号とする設定を行って（ステップＳ５７）、このアルバムリピートモードの処理を終了する。
さらに、このＭＤレコーダ１におけるシステムコントローラ１１は、アルバムの結合、分割、アルバム内のトラックの消去、結合、分割等の各種処理機能を有している。
【０１８３】
すなわち、このＭＤレコーダ１では、上記所定グループ又はアルバム同士を結合指示された場合に、上記第２の管理情報中の上記グループ又はアルバムを構成するプログラム番号の範囲情報と上記グループ名又はアルバム名との対応関係を編集することによって、上記光磁気ディスク９０に記録されているプログラムを複数のグループ又はアルバムとして管理して、グループ又はアルバム同士を結合する編集を行うことができる。このアルバムの結合による編集処理では、例えば、図２３の（Ａ）に示すように、ディスクネーム領域に「１−７；ＳＯＮＹ／／８−１０；ＧＡ／／１１−２０；ＭｉｎｉＤｉｓｃ」が登録されたディスクにおいて、「１−７；ＳＯＮＹ」というアルバムと「８−１０；ＧＡ」というアルバムを結合した場合、「ＧＡ」という名前のアルバムは消滅し、ディスクネーム領域の登録内容は、図２３（Ｂ）に示すように、「１−１０；ＳＯＮＹ／／１１−２０；ＭｉｎｉＤｉｓｃ」とされる。
【０１８４】
また、このＭＤレコーダ１では、上記所定グループ又はアルバムを２分割指示された場合に、上記第２の管理情報中の上記グループ又はアルバムを構成するプログラム番号の範囲情報と上記グループ名又はアルバム名との対応関係を編集することによって、上記光磁気ディスク９０に記録されているプログラムを複数のグループ又はアルバムとして管理して、グループ又はアルバムを２分割する編集を行うことができる。このアルバムの分割による編集処理では、例えば、図２４（Ａ）に示すように、ディスクネーム領域に「１−１０；ＳＯＮＹ／／１１−２０；ＭｉｎｉＤｉｓｃ」が登録さたディスクにおいて、５−６曲の間でアルバムを分割した場合、ディスクネーム領域の登録内容は、図２４（Ｂ）に示すように、「１−５；ＳＯＮＹ／／６−１０；／／１１−２０；ＭｉｎｉＤｉｓｃ」とされる。この処理が終了した時点では６−１０に対するアルバム名は与えられていないためブランクすなわちＮｕｌｌとなる。なお、このブランクとされているアルバム名に関しては本発明には示されていない他の処理において割り当てることも可能である。
【０１８５】
また、このＭＤレコーダ１では、上記複数のグループ又はアルバム内の所定グループ又はアルバムを構成するプログラムの消去処理がなされた場合に、上記第２の管理情報中の上記グループ又はアルバムを構成するプログラム番号の範囲情報と上記グループ名又はアルバム名との対応関係を編集することにより、上記光磁気ディスク９０に記録されているプログラムを複数のグループとして管理して、グループ又はアルバム内のプログラムの消去する編集を行うことができる。アルバム内のトラックの消去による編集処理では、例えば、図２５（Ａ）に示すように、ディスクネーム領域に「１−７；ＳＯＮＹ／／８−１０；ＧＡ／／１１−２０；ＭｉｎｉＤｉｓｃ」が登録さたディスクにおいて、３曲目を消去した場合、元の４曲目が新たな３曲目となり、元の５曲目が新たな４曲目と定義され直すことで、ディスクネーム領域の登録内容は、図２５（Ｂ）に示すように、「１−６；ＳＯＮＹ／／７−９；ＧＡ／／１０−１９；ＭｉｎｉＤｉｓｃ」とされる。
【０１８６】
また、このＭＤレコーダ１では、上記複数のグループ又はアルバム内の所定グループ又はアルバム）を構成する２つのプログラム同士の結合処理がなされた場合に、上記第２の管理情報中の上記グループ又はアルバムを構成するプログラム番号の範囲情報と上記グループ名又はアルバム名との対応関係を編集することにより、上記光磁気ディスク９０に記録されているプログラムを複数のグループとして管理して、グループ又はアルバム内の２つのプログラム又はトラックを結合する編集を行うことができる。アルバム内のトラックの結合による編集処理では、例えば、図２６（Ａ）に示すように、ディスクネーム領域に「１−７；ＳＯＮＹ／／８−１０；ＧＡ／／１１−２０；ＭｉｎｉＤｉｓｃ」が登録さたディスクにおいて、第１曲と第２曲を結合した場合、ディスクネーム領域の登録内容は、第１曲と第２曲とが新たな第１曲となり第３曲は新たな第２曲となるように順にシフトすることで、図２６（Ｂ）に示すように、「１−６；ＳＯＮＹ／／７−９；ＧＡ／／１０−１９；ＭｉｎｉＤｉｓｃ」とされる。
【０１８７】
また、このＭＤレコーダ１では、上記複数のグループ又はアルバム内の所定グループを構成する所定プログラムに対して分割指示がなされた場合に、上記第２の管理情報中の上記グループ又はアルバムを構成するプログラム番号の範囲情報と上記グループ名又はアルバム名との対応関係を編集することにより、上記光磁気ディスク９０に記録されているプログラムを複数のグループ又はアルバムとして管理して、グループ又はアルバム内のプログラム又はトラックを分割する編集を行うことができる。アルバム内のトラックの分割による編集処理では、例えば、図２７（Ａ）に示すように、ディスクネーム領域に「１−７；ＳＯＮＹ／／８−１０；ＧＡ／／１１−２０；ＭｉｎｉＤｉｓｃ」が登録さたディスクにおいて、５曲目を分割した場合、５曲目は新たな５曲目と６曲目となり、元の６曲目は新たな７曲目となるように順に後方へシフトし、ディスクネーム領域の登録内容は、図２７の（Ｂ）に示すように、「１−８；ＳＯＮＹ／／９−１１；ＧＡ／／１２−２１；ＭｉｎｉＤｉｓｃ」とされる。
【０１８８】
さらに、このＭＤレコーダ１におけるシステムコントローラ１１は、アルバム釦を押しながら録音釦を走査することで一連の録音をアルバムとしての録音とみなしてディスクネームに反映させる処理を行う。
【０１８９】
例えば、図２８（Ａ）に示すように、ディスクネーム領域に「１−７；ＳＯＮＹ／／８−１０；ＧＡ」が登録さたディスクに１０曲をアルバムとして新たに追加録音した場合には、ディスクネーム領域の登録内容は、図２８（Ｂ）に示すように、「１−７；ＳＯＮＹ／／８−１０；ＧＡ／／１１−２０；」とされる。つまり、「１−７；ＳＯＮＹ／／８−１０；ＧＡ」と登録されたディスクネーム領域に続いて「／／１１−２０；」が新たに登録されたことになる。
また、例えば、図２９（Ａ）に示すように、ディスクネーム領域に「１−７；ＳＯＮＹ／／８−１０；ＧＡ」が登録さたディスクの３曲目の途中に５曲をアルバムとして上書き録音した場合には、図２９（Ｂ）に示すように、「１−７；ＳＯＮＹ」のアルバムとしてのまとまりは「１−３；ＳＯＮＹ」「９−１０」とに分断され、３曲目の途中後半から６曲目の途中までの前半に「４−８」というアルバムが上書きされ、ディスクネーム領域の登録内容は、「１−３；ＳＯＮＹ／／４−８；／／９−１０；／／１１−１３；ＧＡ」とされる。この場合図２９（Ａ）のように記録されたディスクに対して図２９（Ｂ）のように上書きされた記録部分が上書き記録前の１０曲目よりも前までに終了しているためトータルの記録容量に変化は生じていない。
【０１９０】
【発明の効果】
以上のように、本発明では、記録可能領域に形成された複数のプログラムが記録されるプログラム記録領域と上記プログラム記録領域を管理する管理情報が記録される管理領域を有し、複数のプログラムが複数のグループに集合化されて管理されて記録される記録媒体において、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を分離するための分離情報とからなり第２の管理情報が記録される第２の管理情報記録領域とを備える構成としたので、記録媒体に記録されているプログラムを複数のグループとして管理することができる。
【０１９１】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記複数のグループ内の所定グループに対して順序の変更指示が行われた場合に、上記第２の管理情報中の上記グループを構成するプログラム番号の範囲情報と上記グループ名との対応関係を編集することで上記所定グループの一括移動を行うようにしたことにより、上記記録媒体に記録されているプログラムを複数のグループとして管理して、グループ毎に移動する編集を行うことができる。
【０１９２】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記複数のグループ内の所定グループを構成する所定プログラムに対して分割指示がなされた場合に、上記第２の管理情報中の上記グループを構成するプログラム番号の範囲情報と上記グループ名との対応関係を編集することにより、上記記録媒体に記録されているプログラムを複数のグループとして管理して、グループ内のプログラムを分割する編集を行うことができる。
【０１９３】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記複数のグループ内の所定グループを構成する２つのプログラム同士の結合処理がなされた場合に、上記第２の管理情報中の上記グループを構成するプログラム番号の範囲情報と上記グループ名との対応関係を編集することにより、上記記録媒体に記録されているプログラムを複数のグループとして管理して、グループ内の２つのプログラムを結合する編集を行うことができる。
【０１９４】
また、本発明は、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記所定グループを２分割指示された場合に、上記第２の管理情報中の上記グループを構成するプログラム番号の範囲情報と上記グループ名との対応関係を編集することによって、上記記録媒体に記録されているプログラムを複数のグループとして管理して、グループを２分割する編集を行うことができる。
【０１９５】
また、本発明では、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記所定グループ同士を結合指示された場合に、上記第２の管理情報中の上記グループを構成するプログラム番号の範囲情報と上記グループ名との対応関係を編集することによって、上記記録媒体に記録されているプログラムを複数のグループとして管理して、グループ同士を結合する編集を行うことができる。
【０１９６】
さらに、本発明では、記録可能領域に形成された複数のプログラムが記録されるプログラム記録領域と上記プログラム記録領域を管理する管理情報が記録される管理領域を有し、上記管理領域は、上記プログラム記録領域の未記録記録領域と記録済領域を管理する管理情報が記録される管理情報記録領域と、上記プログラム領域に記録された各々のプログラムに対応するプログラム名を管理する第１の管理情報が記録される第１の管理情報記録領域と、上記プログラム領域に記録された複数のプログラムを複数のグループに各々集合化して、集合化されるプログラムのプログラム名とグループのグループ名とを対応付けてグループを管理するための、上記グループを構成するプログラム番号の範囲情報と、上記グループのグループ名と、各グループ名を区切る特殊コードとからなる第２の管理情報が記録される第２の管理情報記録領域とを備えた記録媒体に記録されたプログラムを編集するに当たり、上記複数のグループ内の所定グループに対して一括消去指示がなされた場合に、上記第２の管理情報中の上記グループを構成するプログラム番号の範囲情報と上記グループ名との対応関係を編集することによって、上記記録媒体に記録されているプログラムを複数のグループとして管理して、グループ毎の一括消去による編集を行うことができる。
【図面の簡単な説明】
【図１】本発明を適用したＭＤレコーダの構成を示すブロック図である。
【図２】ミニディスクのクラスタフォーマットの説明図である。
【図３】ミニディスクのＵＴＯＣセクター０の説明図である。
【図４】ミニディスクのＵＴＯＣセクター０のリンク形態の説明図である。
【図５】ミニディスクのＵＴＯＣセクター１の説明図である。
【図６】上記ＭＤレコーダにおけるバッファメモリ及びシステムコントローラに備えられるＲＡＭのデータ割当て構造を示す説明図である。
【図７】上記ＭＤレコーダにおけるメニュー表示の内容を示す図である。
【図８】上記ＭＤレコーダにおけるアルバムタイトル入力モードの処理手順を示すフローチャートである。
【図９】上記アルバムタイトル入力モードにおけるディスクネーム領域への登録処理の手順を示すフローチャートである。
【図１０】上記ディスクネーム領域への登録処理を行った場合のディスクネーム領域の登録内容の一例を模式的に示す図である。
【図１１】上記ディスクネーム領域への登録処理を行った場合のディスクネーム領域の登録内容の他の例を模式的に示す図である。
【図１２】上記ディスクネーム領域への登録処理を行った場合のディスクネーム領域の登録内容のさらに他の例を模式的に示す図である。
【図１３】上記ＭＤレコーダにおけるアルバムタイトル表示モードの処理手順を示すフローチャートである。
【図１４】上記ＭＤレコーダにおけるアルバム消去モードの処理手順を示すフローチャートである。
【図１５】上記アルバム消去モードの処理を行った場合のディスクネーム領域の登録内容の一例を模式的に示す図である。
【図１６】上記アルバム消去モードにおけるトラックの連続消去処理の手順を示すフローチャートである。
【図１７】上記アルバム消去モードにおける１曲消去処理の手順を示すフローチャートである。
【図１８】上記アルバム消去モードにおけるアルバムタイトル消去処理の手順を示すフローチャートである。
【図１９】上記ＭＤレコーダにおけるアルバム移動モードの処理手順を示すフローチャートである。
【図２０】上記アルバム移動モードの処理を行った場合のディスクネーム領域の登録内容の一例を模式的に示す図である。
【図２１】上記ＭＤレコーダにおけるアルバムＡＭＳモードの処理手順を示すフローチャートである。
【図２２】上記ＭＤレコーダにおけるアルバムリピートモードの処理手順を示すフローチャートである。
【図２３】アルバムの結合による編集処理を行った場合のディスクネーム領域の登録内容の一例を模式的に示す図である。
【図２４】アルバムの分割による編集処理を行った場合のディスクネーム領域の登録内容の一例を模式的に示す図である。
【図２５】アルバム内のトラックの消去による編集処理を行った場合のディスクネーム領域の登録内容の一例を模式的に示す図である。
【図２６】アルバム内のトラックの結合による編集処理を行った場合のディスクネーム領域の登録内容の一例を模式的に示す図である。
【図２７】アルバム内のトラックの分割による編集処理を行った場合のディスクネーム領域の登録内容の一例を模式的に示す図である。
【図２８】複数のをアルバムとして追加録音した場合の登録内容を模式的に示す図である。
【図２９】複数の曲をアルバムとして上書き録音した場合のディスクネーム領域の登録内容の一例を模式的に示す図である。
【符号の説明】
１  ディスク、３  光学ヘッド、６ａ  磁気ヘッド、８  エンコーダ／デコーダ部、１１  システムコントローラ、１２  メモリコントローラ、１３  バッファメモリ、１４  エンコーダ／デコーダ部、１９  操作部、２０  表示部、２４ＲＡＭ、３０  ディスク検出部
【図１】
0004304888.tif 000002
【図２】
0004304888.tif 000003
【図３】
0004304888.tif 000004
【図４】
0004304888.tif 000005
【図５】
0004304888.tif 000006
【図６】
0004304888.tif 000007
【図７】
0004304888.tif 000008
【図８】
0004304888.tif 000009
【図９】
0004304888.tif 000010
【図１０】
0004304888.tif 000011
【図１１】
0004304888.tif 000012
【図１２】
0004304888.tif 000013
【図１３】
0004304888.tif 000014
【図１４】
0004304888.tif 000015
【図１５】
0004304888.tif 000016
【図１６】
0004304888.tif 000017
【図１７】
0004304888.tif 000018
【図１８】
0004304888.tif 000019
【図１９】
0004304888.tif 000020
【図２０】
0004304888.tif 000021
【図２１】
0004304888.tif 000022
【図２２】
0004304888.tif 000023
【図２３】
0004304888.tif 000024
【図２４】
0004304888.tif 000025
【図２５】
0004304888.tif 000026
【図２６】
0004304888.tif 000027
【図２７】
0004304888.tif 000028
【図２８】
0004304888.tif 000029
【図２９】
0004304888.tif 000030